(57)【要約】【課題】静止画である広告用紙媒体の印刷版となる広告画像から広告動画を生成することで、訴求力の高い広告用映像を容易に制作することが可能な広告映像作成支援装置および広告映像作成支援方法並びに広告映像作成支援プログラムを提供する。【解決手段】広告映像作成支援装置は、広告媒体として用いられる広告画像に基づいて作成された複数の静止画が、画像パーツＧ１，Ｇ２として格納された記憶手段と、画像パーツＧ１，Ｇ２を視覚的に変化させた動画パーツＭ１，Ｍ２を生成する動画生成手段と、動画パーツＭ１，Ｍ２を結合して連続した広告動画を生成する結合手段とを備えている。【選択図】図６
2019036064.tif 000002
【特許請求の範囲】
【請求項１】
広告媒体として用いられる広告画像に基づいて作成された複数の静止画が、画像パーツとして格納された記憶手段と、
前記画像パーツを視覚的に変化させた動画パーツを生成する動画生成手段と、
前記動画パーツを結合して連続した広告動画を生成する結合手段とを備えた広告映像作成支援装置。
【請求項２】
前記画像パーツは、広告画像から領域を選択して切り出された静止画である請求項１記載の広告映像作成支援装置。
【請求項３】
前記画像パーツは、広告画像を作成するために準備された静止画である請求項１記載の広告映像作成支援装置。
【請求項４】
前記広告画像から指定された領域に基づいて前記画像パーツを切り出す領域指定手段を備えた請求項２記載の広告映像作成支援装置。
【請求項５】
前記動画パーツを表示手段に表示して、前記動画パーツを結合する順序を指定させる順序指定手段を備えた請求項１から４のいずれかの項に記載の広告映像作成支援装置。
【請求項６】
前記動画パーツに文字画像を重畳させるオーバレイ手段を備えた請求項１から５のいずれかの項に記載の広告映像作成支援装置。
【請求項７】
前記動画パーツまたは前記広告動画に音声を付加する音声挿入手段を備えた請求項１から６のいずれかの項に記載の広告映像作成支援装置。
【請求項８】
広告媒体として用いられる広告画像に基づいて作成された複数の静止画を画像パーツとして、前記画像パーツを視覚的に変化させた動画パーツを生成する動画生成ステップと、
前記動画パーツを結合して連続した広告動画を生成する結合ステップとを含む広告映像作成支援方法。
【請求項９】
コンピュータを、
広告媒体として用いられる広告画像に基づいて作成された複数の静止画を画像パーツとして、前記画像パーツを視覚的に変化させた動画パーツを生成する動画生成手段、
前記動画パーツを結合して連続した広告動画を生成する結合手段として機能させる広告映像作成支援プログラム。
【発明の詳細な説明】
【技術分野】
【０００１】
本発明は、静止画である広告媒体として用いられる広告画像に基づいて広告動画を生成する広告映像作成支援装置および広告映像作成支援方法並びに広告映像作成支援プログラムに関するものである。
【背景技術】
【０００２】
静止画から動画を生成するものとして、特許文献１に記載されたものが知られている。  特許文献１に記載の動画生成システムは、ユーザがデジタルカメラで連続撮影した複数枚の時系列的な画像データ、若しくはそれらの画像データから背景画像を画像処理技術で除去して被写体を切出して得られた切出し画像データ列（ｎ枚の連続画像）あるいは上記切出し画像列を他の背景画像に貼り付けた合成画像データ列を作成し、それを、ユーザＰＣからウェブサーバへ静止画の画像データ列として送信（アップロード）することで、ウェブサーバが、受信した切出し画像データ列を動画に変換し、変換された動画をウェブサーバからダウンロード可能にするというものである。
【先行技術文献】
【特許文献】
【０００３】
【特許文献１】特開２０１３−１２８３２８号公報
【発明の概要】
【発明が解決しようとする課題】
【０００４】
新聞の折り込みチラシやポストに投函されるチラシや新聞広告、パンフレットなどの広告用紙媒体は、広告代理店または印刷会社にて、画像編集ソフトを使って作成された広告画像を印刷版として、この印刷版に基づいて、印刷会社にて印刷され、作製される。
テレビ放送やインターネットのウェブサイトでは、映像が広告として用いられる。動画である映像は、静止画を用いたチラシより訴求力がある。
【０００５】
しかし、広告の制作や印刷を依頼する企業は、新たな映像の制作に多大な費用が掛かるとの認識を持っているため、訴求力のある映像よりもチラシに頼ってしまう実情がある。そして、広告用の映像が、低廉に制作できれば、企業は広告映像を新たに制作したいという希望がある。
一方、静止画から動画を生成する特許文献１に記載の動画生成システムでは、時系列的に連続撮影された複数枚の画像データが静止画として必要である。
従って、特許文献１に記載の動画生成システムでは、既に作成されたチラシの元となる広告画像、または作成中の広告画像から動画を生成することができない。
【０００６】
そこで本発明は、静止画である広告画像から広告動画を生成することで、訴求力の高い広告用映像を容易に制作することが可能な広告映像作成支援装置および広告映像作成支援方法並びに広告映像作成支援プログラムを提供することを目的とする。
【課題を解決するための手段】
【０００７】
本発明の広告映像作成支援装置は、広告媒体として用いられる広告画像に基づいて作成された複数の静止画が、画像パーツとして格納された記憶手段と、前記画像パーツを視覚的に変化させた動画パーツを生成する動画生成手段と、前記動画パーツを結合して連続した広告動画を生成する結合手段とを備えたことを特徴とする。
【０００８】
本発明の広告映像作成支援方法は、広告媒体として用いられる広告画像に基づいて作成された複数の静止画を画像パーツとして、前記画像パーツを視覚的に変化させた動画パーツを生成する動画生成ステップと、前記動画パーツを結合して連続した広告動画を生成する結合ステップとを含むことを特徴とする。
【０００９】
本発明の広告映像作成支援プログラムは、コンピュータを、広告媒体として用いられる広告画像に基づいて作成された複数の静止画を画像パーツとして、前記画像パーツを視覚的に変化させた動画パーツを生成する動画生成手段、前記動画パーツを結合して連続した広告動画を生成する結合手段として機能させることを特徴とする。
【００１０】
本発明によれば、広告画像に基づく画像パーツから視覚的に変化させた動画パーツを生成する。そして、動画パーツを結合することで連続した広告動画を作成することができる。従って、静止画である広告画像があれば広告映像ができるため、新たに映像の素材を撮影しなくても、広告映像による宣伝を行うことができる。
【００１１】
本発明の広告映像作成支援装置においては、前記画像パーツを、広告画像から領域を選択して切り出された静止画とすることができる。また、前記画像パーツを、広告画像を作成するために準備された静止画とすることができる。
【００１２】
前記広告画像から指定された領域に基づいて前記画像パーツを切り出す領域指定手段を備えることにより、広告画像の中から任意の領域を選択できるので、広告映像を制作する制作者の希望とする画像パーツを作成することができる。
【００１３】
前記動画パーツを表示手段に表示して、前記動画パーツを結合する順序を指定させる順序指定手段を備えることができる。順序指定手段によって任意の順序で動画パーツを結合することができる。
【００１４】
前記動画パーツに文字画像を重畳させるオーバレイ手段を備えることができる。オーバレイ手段が動画パーツに文字画像を重畳させることにより映像表現の範囲を拡げることができる。
【００１５】
前記動画パーツまたは前記広告動画に音声を付加する音声挿入手段を備えることができる。音声挿入手段が広告動画に音声を付加することにより、広告映像を視覚的だけでなく聴覚的にも訴求力の高いものとすることができる。
【発明の効果】
【００１６】
本発明によれば、新たに映像の素材を撮影しなくても、広告画像があれば広告映像ができるため、広告映像による宣伝を気軽に行うことができるので、訴求力の高い広告用映像を容易に制作することが可能である。
【図面の簡単な説明】
【００１７】
【図１】本発明の実施の形態に係る広告映像作成支援装置の構成を示す図である。
【図２】図１に示す広告映像作成支援装置の動作を説明するためのフローチャートである。
【図３】広告動画の素材となるチラシ画像を示す図である。
【図４】広告動画の流れ示す絵コンテの図である。
【図５】文字画像を示す図である。
【図６】動画パーツを示す図であり、（Ａ）および（Ｂ）はシーン１の動画パーツの図であり、（Ｃ）および（Ｄ）はシーン２の動画パーツの図である。
【図７】順序指定手段により動画パーツの結合の順序を指定する際の表示画面の一例の図である。
【発明を実施するための形態】
【００１８】
本発明の実施の形態に係る広告映像作成支援装置について図面に基づいて説明する。
図１に示すように、広告映像作成支援装置１０は、広告用紙媒体の一例であるチラシの印刷版となり、広告画像の一例であり、静止画であるチラシ画像に基づいて広告動画を生成するものであり、広告映像作成支援プログラムを動作させたコンピュータである。
広告映像作成支援装置１０は、ネットワーク通信手段１１と、領域指定手段１２と、動画生成手段１３と、オーバレイ手段１４と、順序指定手段１５と、結合手段１６と、音声挿入手段１７と、表示手段１８と、入力手段１９と、外部機器接続手段２０、記憶手段２１とを備えている。
【００１９】
ネットワーク通信手段１１は、ネットワークと通信可能に接続されており、データを送信したり受信したりする。ネットワーク通信手段１１は、通信電気通信回線の一例であるイントラネットまたはインターネットと接続するためのＬＡＮとすることができる。
領域指定手段１２は、チラシ画像から指定された領域に基づいて画像パーツを切り出す。
動画生成手段１３は、記憶手段２１から読み出された画像パーツの一部、または全部を視覚的に変化させ、画像パーツから動画パーツを生成する。
オーバレイ手段１４は、動画パーツに文字画像を重畳させる。
順序指定手段１５は、動画生成手段１３により生成された動画パーツを表示手段１８に表示して、動画パーツを結合する順序を指定させる。
結合手段１６は、順序指定手段１５により指定された順序に基づいて連続した広告動画を生成する。
音声挿入手段１７は、広告動画に音声を付加する。
【００２０】
表示手段１８は、液晶ディスプレイ、有機ＥＬディスプレイまたはＣＲＴ（Cathode Ray Tube）とすることができる。
入力手段１９は、キーボードおよびマウス、または他のポインティングデバイスとすることができる。
外部機器接続手段２０は、プリンタ装置、外部メモリなどの外部機器と接続するための通信ポートである。外部機器接続手段２０は、ＵＳＢ（Universal Serial Bus）とすることができる。
【００２１】
記憶手段２１は、大容量で高速アクセスなハードディスクドライブや、ＳＳＤ（Solid State Drive）とすることができる。記憶手段２１には、チラシ画像、チラシ画像から切り出した画像パーツ、チラシ画像を構成するために準備された画像パーツ、動画パーツ、画像パーツを結合した広告動画および広告動画に付加するための音声データなどが格納される。
画像パーツは、ＪＰＧ、ＢＭＰ、ＰＮＧ、ＴＩＦＦ、ＧＩＦなど各種の画像ファイル形式のものとすることができる。また、動画パーツおよび広告動画は、ＡＶＩ、ＭＰ４、ＭＯＶ、ＭＰＥＧ、ＭＫＶ、ＷＭＶ、ＦＬＶ、ＡＳＦなどの動画ファイル形式のものとすることができる。音声データは、ＭＰ３、ＡＡＣ、ＷＭＡ、ＡＣ３、ＭＰ２、ＡＬＡＣ、ＦＬＡＣ、ＴＡＫなどの音声ファイル形式とすることができる。
【００２２】
以上のように構成された本発明の実施の形態に係る広告映像作成支援装置１０の動作および使用状態を図面に基づいて説明する。
なお、図３に示すチラシ画像Ｆは、チラシ画像Ｆを構成する写真や絵、文字などの各画像パーツのそれぞれが分離可能なデータとなっている。
【００２３】
まず、制作者は、チラシを印刷するためのチラシ画像Ｆに基づいて、広告動画の流れを示す絵コンテ（図４参照）を制作する（図２のステップＳ１０参照）。
次に、制作者は、広告映像作成支援装置１０の入力手段１９を操作して、表示手段１８に表示されたチラシ画像Ｆから、図４に示す絵コンテに基づいて領域を指定することで、領域指定手段１２は、チラシ画像Ｆにて指定された領域に基づいて画像パーツを切り出して、記憶手段２１に格納する（図２のステップＳ２０参照）。
す。
例えば、図３に示すチラシ画像Ｆから領域Ａ１〜Ａ４が指定されることで、それぞれの領域Ａ１〜Ａ４の画像が、画像パーツＧ１〜Ｇ４として記憶手段２１に格納される。
【００２４】
次に、広告動画に挿入するための文字画像を制作する。例えば、図４に示す絵コンテのシーン１にて挿入される文字画像Ｃ１（図５参照）と、シーン３にて挿入される文字画像Ｃ２を制作する（図２のステップＳ３０参照）。
【００２５】
動画生成手段１３が画像パーツを視覚的に変化させた動画パーツを生成して記憶手段２１に格納する。画像パーツを視覚的に変化させる処理は、クローズアップ、カットイン、カットアウト、フェードイン、カットバック、アイリスイン、アイリスアウトなど、再生範囲内を一方側から他方側へ直線的に移動させたり、曲線的に移動させたり、画像パーツを変形させたり、移動させたり、出没させたりするような、色々な動画加工が採用できる。
制作者が入力手段１９を操作して、変化の種類を動画生成手段１３に指定することにより、この動画加工を決定することができる。
【００２６】
例えば、シーン１では、動画生成手段１３が画像パーツＧ１をフェードインさせる動画パーツを生成する（図２のステップＳ４０参照）。
このとき、オーバレイ手段１４が記憶手段２１から動画パーツを読み出し、文字画像を重畳させる（図２のステップＳ５０参照）。例えば、この文字画像は、図５に示す文字画像Ｃ１とすることができ、フェードインさせる画像パーツＧ１と一緒に、文字画像Ｃ１をフェードインさせる動画パーツＭ１とすることができる（図６（Ａ）および同図（Ｂ）参照）。
これでシーン１の動画パーツＭ１が作成される。
【００２７】
次に、動画生成手段１３が画像パーツＧ１を縮小させながら、画像パーツＧ１と文字画像Ｃ１との間に空いた隙間に、画像パーツＧ２（図３参照）をフェードインさせながら拡大する動画パーツＭ２を生成する（図６（Ｃ）および同図（Ｄ）参照）。
このようにして、シーン２の動画パーツＭ２が作成される。
【００２８】
同様な操作によりシーン３以降が作成されると、それぞれの動画パーツを結合する（図２のステップＳ６０参照）。図７では、シーン１からシーン６までの動画パーツＭ１〜Ｍ６が、順序指定手段１５により表示手段１８の上段の動画パーツ表示エリアＤ１に、サムネイルとして表示されている。
制作者は、入力手段１９を操作して、動画パーツＭ１〜Ｍ６のサムネイルのいずれか一つ、または複数を選択し、ドラッグした状態で、下段のタイムライン表示エリアＤ２まで移動させ、再生順にドロップすることで、動画パーツを結合する順序を指定する。
そして、制作者は、入力手段１９を操作して、図示しない結合を実行させるボタンを押下して、各動画パーツの結合を指示する。
この操作により結合手段１６は、シーン１用の動画パーツＭ１からシーン６用の動画パーツＭ６までを結合して、１本の広告動画とする。
【００２９】
制作者は、入力手段１９を操作して、予め吹き込んでおいたナレーションである音声を広告動画に付加するよう、音声挿入手段１７に指示する。
そうすることで、音声挿入手段１７は、音声が格納された音声ファイルの内容を広告動画に付加する（図２のステップＳ７０参照）。
【００３０】
制作者は、広告映像を、外部機器接続手段２０に接続したＵＳＢメモリに格納することで、外部に持ち出したり、ネットワーク通信手段１１を介して他の端末装置へ送信したりする。
このようにして制作された広告動画は、インターネットサイトで公開されたり、テレビ放送やデジタルサイネージなどで公開されたりして、企業の宣伝活動の一端を担う。
【００３１】
以上のように本実施の形態に係る広告映像作成支援装置１０によれば、動画生成手段１３が、広告用紙媒体の一例のチラシの静止画であるチラシ画像に基づく画像パーツを視覚的に変化させた動画パーツを生成する。そして、結合手段１６が、動画パーツを結合することで連続した広告動画を作成することができる。従って、新たに映像の素材を撮影しなくても、チラシ画像があれば広告映像ができるため、広告映像による宣伝を行うことができる。
よって、広告映像作成支援装置１０は、静止画である広告画像から広告動画を生成することで、訴求力の高い広告用映像を安価に制作することが可能である。
【００３２】
領域指定手段１２により、チラシ画像Ｆの中から任意の領域を選択できるので、広告映像を制作する制作者の希望とする画像パーツを作成することができる。従って、制作者の意図する広告映像の素材となる画像パーツを容易に作成することができる。
【００３３】
順序指定手段１５により、任意の順序で動画パーツをタイムライン表示エリアＤ２（図７参照）に並べ、結合することができるので、制作者の希望に沿った順序で動画パーツを繋げることができる。また、オーバレイ手段１４が動画パーツに文字画像を重畳させることにより映像表現の範囲を拡げることができる。
更に、音声挿入手段１７が広告動画に音声を付加することにより、広告映像を視覚的だけでなく聴覚的にも訴求力の高いものとすることができる。
【００３４】
なお、本実施の形態では、チラシ画像Ｆから領域を決定して画像パーツを切り出していたが、画像パーツはチラシだけでなく広告用紙媒体であれば、例えば、パンフレットや雑誌広告、新聞広告などの印刷版となる広告画像を作成するために準備された静止画であってもよい。また、印刷版が作製されない、広告用電子媒体（電子チラシ、ネット広告等）の作成で準備された静止画でもよい。
【産業上の利用可能性】
【００３５】
本発明は、インターネットサイトに表示される広告映像や、テレビ放送のデータ放送に表示される広告映像、街頭に設置されたディスプレイに表示されるデジタルサイネージによる広告映像の制作に好適である。
【符号の説明】
【００３６】
１０  広告映像作成支援装置
１１  ネットワーク通信手段
１２  領域指定手段
１３  動画生成手段
１４  オーバレイ手段
１５  順序指定手段
１６  結合手段
１７  音声挿入手段
１８  表示手段
１９  入力手段
２０  外部機器接続手段
２１  記憶手段
Ｆ  チラシ画像
Ａ１〜Ａ４  領域
Ｇ１〜Ｇ４  画像パーツ
Ｍ１〜Ｍ６  動画パーツ
Ｃ１，Ｃ２  文字画像
Ｄ１  動画パーツ表示エリア
Ｄ２  タイムライン表示エリア
【図１】
2019036064.tif 000003
【図２】
2019036064.tif 000004
【図３】
2019036064.tif 000005
【図４】
2019036064.tif 000006
【図５】
2019036064.tif 000007
【図６】
2019036064.tif 000008
【図７】
2019036064.tif 000009